(57)【要約】【課題】告知したことの事実とそれに反応した被験者の行動を生体情報として送出できる生体センサー端末を提供する。【解決手段】生体センサー端末１は、指定された告知時間に事前に登録された告知情報をスピーカ２６を介して音声で流し、時間の経過と共に音声の強度を高めて告知情報の認知を使用者に喚起し、副次的に光警報器２７の色を変化させて告知情報の認知度を高める機能をもつ時間管理機能部と、無線を経由して告知情報の認知に基づく使用者の生存情報を送出する通信用無線モジュール２１と、を併せ持つ。【選択図】図１
2015009115.tif 000002
【特許請求の範囲】
【請求項１】
指定された告知時間に事前に登録された告知情報を音声で流し、時間の経過と共に前記音声の強度を高めて前記告知情報の認知を使用者に喚起し、副次的に光警報器の色を変化させて前記告知情報の認知度を高める機能をもつ時間管理機能部と、
無線を経由して前記告知情報の認知に基づく使用者の生存情報を送出する送出機能部と、
を併せ持ったことを特徴とする生体センサー端末。
【請求項２】
月日時分を表示する置時計の形状からなり、ＧＰＳから得られた時間情報で実時計の時刻を校正しながらスケジュール管理を行うことを特徴とする請求項１に記載の生体センサー端末。
【請求項３】
前記告知情報や前記告知時間は外部に用意されたソフトウエアでプログラム設定され、有線又は無線の通信回線を用いて本体内蔵の記憶装置に蓄積され、前記蓄積された告知情報と告知時間とを用いて告知時間や告知内容を引き出すことを特徴とする請求項１に記載の生体センサー端末。
【発明の詳細な説明】
【技術分野】
【０００１】
本発明は情報の告知を行った上で、その告知に対しての反応を電気的信号に置き換え、その信号を監視する人物の存在と生体を通報する生体センサー端末である。
【背景技術】
【０００２】
生体センサーとしてはその通信方法に於いて受動型と能動型に分類できる。受動型は被験者、例えば生体情報を必要とされる人又は監視を必要とする人物、が生体センサーに接触や作業を行った時に通報を発する方式を取り、能動型は被験者の意思に関係なく被験者の生態情報を送り続ける方式を取る。受動型の一例として特許文献２（特に、段落００１８等参照）の機器が挙げられるが、これらの機器は完全に受動式で被験者が所定の行動を取った時にのみ、生体信号が送出される。しかし、特許文献２にある電気ポットは注湯口のボタンを押した時に生体信号が送出されるが、被験者は常にお湯を必要とする訳ではない。暑い夏などは永い間注湯口のボタンを押さないことも考えられる。また、被験者の好みが変わり、熱いお茶の代わりに冷たい飲み物を常用するようになった場合、電気ポット自他が廃棄されるか、片付けられてしまって、センサーとして使えない場合も想定される。他方、能動型の例として特許文献１（特に、第９頁及び図１等参照）の加速度センサー等を具備した生体センサーが上げられるが、人体に付随するタイプの生体センサーである為、生体センサーを稼動させる為の電源を確保する点に難点がある。一般的には充電方式を取るが、充電作業をする煩わしさは、被験者が継続的に使用をすることを嫌う一因と成り得る。
【先行技術文献】
【特許文献】
【０００３】
【特許文献１】特許第３８６４７６５号公報
【特許文献２】特開平１０−２４８０９３号公報
【発明の概要】
【発明が解決しようとする課題】
【０００４】
ところで、生体センサー端末の本来の目的は、生体情報をネットワーク等を介して外部に送出（報知）することであるが、この生体センサー端末がその報知機能以外の機能を持たない場合、被験者は当該端末に見張られていると誤解される感情に支配される場合が想定される。従って、本発明の生体センサー端末は生活に必要な他の機能を持ち、同時に生体センサーとして機能することである。
【０００５】
ここで、上述の生活に必要な他の機能とはスケジュール管理である。定期又は不定期に設定されたスケジュールとその内容を時間が来たら、音声及び光信号を用いて通知する。告知したことの事実とそれに反応した被験者の行動を生体情報として送出することが本発明の課題である。
【課題を解決するための手段】
【０００６】
以上の課題を解決するために、本発明に係る生体センサー端末は、指定された告知時間に事前に登録された告知情報を音声で流し、時間の経過と共に前記音声の強度を高めて前記告知情報の認知を使用者に喚起し、副次的に光警報器の色を変化させて前記告知情報の認知度を高める機能をもつ時間管理機能部と、無線を経由して前記告知情報の認知に基づく使用者の生存情報を送出する送出機能部と、を併せ持ったことを特徴とする生体センサー端末。
【発明の効果】
【０００７】
したがって、本発明に係る生体センサー端末によると、告知したことの事実とそれに反応した被験者の行動を生体情報として送出することができる。
また、本発明の生体センサー端末は単体ではスケジュール管理を行う機器としての機能を持ち、無線センサーネットワークに組み込まれていれば、被験者の生体情報を送出する生体センサー端末として動作する。本発明の生体センサー端末は外見上は、スケジュール管理機器として用いられる為、被験者には違和感なく使用することができる。また、固定電源で駆動されている為、継続的に被験者の生体情報を送出することで２つの装置の効果を持つ。
【図面の簡単な説明】
【０００８】
【図１】生体センサー端末のブロックダイヤグラム図
【図２】生体センサー端末が接続する無線ネットワークの模式図
【発明を実施するための形態】
【０００９】
以下、本発明に係る生体センサー端末の実施形態について、図１及び図２に基づいて詳細に説明する。
【００１０】
（実施形態の概要）
本発明の生体センサー端末１は、図１に示すように、実時計１０を具備し、事前に組み込まれた告知情報１１及びその告知情報を送出する時間情報１２を予め端末内部の記憶媒体１３に格納しておき、実時計１０の時刻が告知情報を送出する時間１２と一致した場合、音声及び光信号を用いて被験者に告知情報を送出すると共に告知された情報の作業を終了した場合は作業が終了した旨の行動を取るように促すメッセージを送出する。
【００１１】
一方、本発明の生体センサー端末１は押しボタンスイッチ１４と通信用無線モジュール２１を具備しており、例えば、被験者に告知された作業が終わった時に押しボタンスイッチ１４を押すメッセージを送出した場合、被験者は押しボタン１４を押した段階で、接点信号が通信用無線モジュール２１から接続する無線ネットワーク１５、例えば無線センサーネットワークに送られる。
【００１２】
他方、作業を終了しても被験者が押しボタンスイッチ１４を押さない場合や被験者が作業そのものを行わない場合は音声に於いてはその音量を増大させ、また、光信号に於いてはその光強度やより危険性を示す色に変更して同一又は付帯の告知情報１１の注意喚起を促す目的で送出する。また、この動作を被験者が所定の行動を取らない間は複数回繰り返す。
【００１３】
本発明の生体センサーは告知情報１１と送出する時間情報１２を記憶媒体１３に格納することができ、格納された告知情報１１及び送出する時間情報１２が送出仕切る迄は継続的に被験者の生態情報を把握できる。
【００１４】
本発明の生体センサー端末１に情報を格納する場合は有線通信、例えばＵＳＢ回路１６、や無線通信、例えば通信用無線モジュール２１を用いて記憶媒体１３に書き込みが可能である。また、告知時間の正確性を計る為にＧＰＳ時計１７が組み込まれ、実時計１０を校正する手法をとる。
【００１５】
（実施形態の詳細）
本発明の生体センサー端末１は被験者の生体情報を継続的に送出することであるが、見かけ上の機能について実施例を３件あげる。実施例１は服薬情報の告知、実施例２は食事時間と内容についての告知、実施例３は外出時間と行き先についての告知とした。
【００１６】
（実施例１）服薬時間告知
「生体センサー端末の構成について」
本発明の生体センサー端末１が具備する構成としては、以下のものがある。第１に正確な時間を表示する時計である。第２に告知する情報とその情報を送出する時間をプログラムするソフトウエア１９である。第３にプログラムされた情報を本発明の生体センサー端末に送出し、又は生体情報を外部に送出する通信回線である。第４にプログラムされた情報を格納する記憶媒体である。第５に被験者にプログラムされた情報を伝える手段である。最後に被験者が本発明の生体センサー端末に対して行動を起こす時の受け皿装置である。
【００１７】
上記、第１に示す時計は実時計１０を示す。本実時計は中央処理装置１８に実装され３２７６８Ｈｚの水晶発信子で制御される時計か、実時計（ＲＴＣ）として製造された半導体式時計が好ましい。実時計１０とは言え、校正を行わないで使用すると時間に狂いが生じる為、本発明の生体センサー端末ではＧＰＳ時計１６、ＧＰＳ衛星から送られてくる時間情報を提供する時計、で一分毎に秒単位で校正を行っている。
【００１８】
上記、第２のソフトウエア１９に付いては、例えば服薬スケジュール管理に於いては患者情報、病理情報、服薬剤情報、服薬数量情報を基にして在宅看護を主眼とした単一患者又は病院での看護を主眼とした複数患者の服薬情報をプログラムする機能を持つ。作成された個々の服薬プログラムは本ソフトウエアが搭載されたホストコンピュータ（ホスト）２０が制御端末となり、ＵＳＢ通信回線又は無線通信回線を用いて本発明の生体センサー端末に送出される。
【００１９】
上記、第３の通信回線は有線回線としてはＵＳＢ回路１６を、無線回線としてはジグビープロトコル（ＺｉｇＢｅｅ；登録商標）を搭載した通信用無線モジュール２１を使用した。電波周波数及び通信プロトコルは２．４ＧＨｚ及びＺｉｇＢｅｅ形式を使用した。ＵＳＢ回線は通信の信頼性を考慮し、ヒューマンインターフェースデバイス（ＨＩＤ）形式の通信方法を用い、上記無線モジュールについてはパソコン１８側をマスターとし、本発明の生体センサー端末１をスレーブとした。
【００２０】
上記、第４の端末内部の記憶媒体１３にはフラッシュ型メモリーを採用した。読み書きのできる他の不揮発性メモリー、例えば電気的消去式プログラマブルリードオンリーメモリー（ＥＥＰＲＯＭ）やＦ型ランダムアクセスメモリー（ＦＲＡＭ（登録商標））、もあるが、容量や価格の点でフラッシュ型メモリーが最適であり、フラッシュ型メモリーは電源を落としても記憶が消えない利点があり、容量４メガバイトのフラッシュ型メモリーを端末内部の記憶媒体１３として採用した。
【００２１】
上記、第５の情報を伝える手段としては音声用として音声合成装置２２、ローパスフィルタ２３、音量調整器２４、低周波アンプ２５及びスピーカ２６で構成されている。音声合成装置２２は文字列をパルス幅変調で変調を行い音声に変換するものを使用した。しかし、この方法による音声変換は高周波ノイズを多く含む為、４ＫＨｚをカットオフ周波数とするパッシブ型のローパスフィルタ２３を２段入れて高周波ノイズの提言を計った。音量調整器２４は低周波アンプ２３へのバイアス電流を４段階に変える回路を有したものを使用した。各段階の利得は最大音量を０ｄＢとした時に−９ｄＢ、−６ｄＢ、−３ｄＢとした。一方、光信号用警報機２７としては大型のカラー発光ダイオード（ＬＥＤ）を使用した。８色の選択肢の中から緑、青、黄色、赤の４色を音量の小さい順に使用した。
上記、最後に被験者が本発明の生体センサー端末に行動を起こす装置として、押しボタンスイッチ１４を用意した。押しボタンスイッチ１４は瞬間的な電極間の接合を電気信号に変え、通使用無線モジュール１５から接続された無線ネットワーク２９に接合の電気信号を送出する。
【００２２】
これまで説明した上記機器は中央処理装置１８を経由して情報を送り、情報を処理している。また、実時計１０は中央処理装置１８の一機能として存在し、中央処理装置１８の中で時を刻む。時刻表示器２８は実時計１０の情報を基に１分に１回その表示内容が更新される。時刻表示器２８の表示内容は月、日、時、分の４部分に分かれる。各部分には２個の７セグメント表示器、計８個の７セグメント表示器で構成される。
【００２３】
「生体センサー端末の動作について」
本実施例の服薬時間告知は被験者の服薬に関するスケジュール管理を行う機能である。告知を行う情報としては薬の名称や数量、特定の時間に服用する薬を纏めたもの、所謂、分封剤の場合は分封剤に係わる情報を告知情報１１として持つ。告知情報に係わる時間１２は服薬すべき時間を意味する。これらの情報を服薬プログラムとして作成する。
【００２４】
服薬プログラムを作成するソフトウエア１９は一日の服薬回数と４回、例えば朝、昼、晩、就寝時とし、一年間３６５日のお薬の服用情報と服用時間をプログラムすることができる。服用薬の種類は分封薬か個別の服用薬８種類と服用数を登録することができる。これらの服薬プログラムは患者別に作成できる。
【００２５】
服薬プログラムを作成するには、先ず患者とその患者が煩っている病名を選択する。病名を選択すると選択された病気の治療薬が表示され、その中から服用薬を選択する。プログラムは日単位で設定が可能で、先ずは服薬日を選択する。次に服用時間帯、例えば朝、昼、晩、就寝時を選択し、服薬時間を選択する。次に服用薬の種類と服用数を時間帯毎に選択する。この様にして服薬全体のプログラムを作成する。なお、当該服薬プログラムを作成するソフトウエア１９は、生体センサー端末１とは異なる別の外部装置（例えば、ホストコンピュータ等）で実行される。
【００２６】
完成した服薬プログラムはＵＳＢ回路１６か通信用無線モジュール２１を経由して、端末内記憶媒体１３にその情報を蓄積する。この際に、時間合わせを確実にする為、ホストコンピュータ２０（外部装置；図示省略）から現在の時間情報を本発明のセンサー端末１に送り、中央処理装置内１８の実時計１０の時間合わせを行う。
【００２７】
服薬プログラムをロードした本発明の生体センサー端末１は一分毎にプログラムされた全ての服薬時間と現在時間を比較する。比較された服薬時間が現時間と一致した場合、中央処理装置１８は端末内部の記憶媒体１３から告知情報１１を引き出し、音声合成装置２２で文字情報を音声信号に変換する。この時の音声信号はパルス幅変調方式を用いた長短のパルスで構成されている。この音声信号は高調波やノイズ等の高周波成分を多く含む為、ローパスフィルタ２３を用いて高周波成分を取り除く必要がある。本実施例では４ｋＨｚをカットオフ周波数としたパッシブ型ローパスフィルタを２段用いた。音声は最初に小さめに発生する為、音量調整器２４は４段階で最小ゲインとなるように設定した。その後、音声信号は低周波アンプ２５で６４ｄＢ増幅され、スピーカ２６から音声となって発せられる。
【００２８】
音声と同時に光信号警報器２７も点灯させる。本実施例の光信号警報器２７はＲ（赤）Ｇ（緑）Ｂ（青）の３色の信号で制御されているので合計７色の点灯が可能である。音声信号が最低ゲインの場合は緑、２番目の場合は青、３番目の場合は黄色、最高ゲインの場合は赤とした。
【００２９】
赤が点灯した場合は押しボタンスイッチ１４が押されるまで点灯が継続されるので、告知情報１１に係わる音声が聞こえない場所に移動していたとしても、後からでも服薬時間が来たことを確認が可能である。
【００３０】
特定の告知情報１１に係わる服薬の告知は押しボタンスイッチ１４を押すことで終了するが、被験者が押しボタンスイッチ１４を押さなかった場合、中央処理装置１８は一定の時間を置いた後、例えば２０秒後に同じ告知情報１１の音声を第２番目のゲインを選定して、スピーカ２６より送出する。同時に光信号警報器２７の色を青に変える。
【００３１】
これでもまだ押しボタンスイッチ１４が押されない場合に中央処理装置１８は一定の時間を置いた後、例えば３０秒後に第３番目のゲインを選択して、告知情報１１の音声をスピーカ２６から送出する。同時に光信号警報器２７の色を黄色に変える。
【００３２】
これでもまだ押しボタンスイッチ１４を押されない場合に中央処理装置１８は一定の時間を置いた後、例えば４０秒後に最高ゲインを選択し、告知情報１１の音声をスピーカ２６から送出する。同時に光信号警報器２７の色を赤に変える。
【００３３】
中央処理装置１８は告知情報１１に係わる音声をスピーカ２６より送出する際に、告知情報１１に係わる方法及び告知情報を送出する時間情報１２を含めた情報を通信用無線モジュール２１を通じて本発明の生体センサー端末１が接続する無線ネットワーク１５に送出する。押しボタンスイッチ１４が押された時も押された時間と押されたと言う事実を通信用無線モジュール２１を通じて本発明の生体センサー端末１が接続する無線ネットワーク１５に送出する。なお、無線ネットワーク１５に含まれる構成としては、例えば、図２に示す掛け時計式無線ルータなどである。
【００３４】
（実施例２）食事時間告知
本実施例では病気などが原因で一日３回以上の食事回数が医療機関から指定され、各食事で摂取しなければならない食物が指定されている場合の食事時間告知について説明する。
本実施例では各食事で摂取する食物の情報が告知情報１１に当り、食事をすべき時間が告知情報を送出する時間情報１２とするスケジュール管理機能である。
【００３５】
各食事で摂取する食物の情報や食事をすべき時間は栄養士又は医療機関から入手したものを用いて本発明の生体センター端末１にソフトウエア１９を用いて端末内部の記憶媒体１３に書き込む。
【００３６】
食事時間が来ると中央処理装置１８が現在の食事時間に係わる告知情報１１、この食事で摂取する食物を音声信号で被験者に伝える。同時に光信号警報器２７を青に点灯させ、通信用無線モジュール２１を経由して告知情報１１に係わる情報と告知時間を無線ネットワーク１５に送出する。
【００３７】
押しボタンスイッチ１４は押された段階で、その告知情報１１に係わる情報の告知は終了するが、押されないと中央処理装置１８は一定の時間を置いて、音量を段階に増大させて告知情報の音声をスピーカ２６から送出し、同時に光信号警報器の色を、青、緑、黄色、赤の順番で変化させる。押しボタンスイッチ１４が押されると告知情報１１の音声がやみ、光信号警報器２７が消灯し、押された時間と押された事実が通信用無線モジュール２１を経由して、無線ネットワーク１５に送出される。
【００３８】
（実施例３）外出時間告知
外出時間の管理に本発明の生体センサー端末１を使用する方法を説明する。健常者用としても外出に係わる情報を音声で告知してくれるスケジュール管理装置としても用いることが可能であるが、本実施例では独居老人等が病院や介護施設のディサービスへ外出する時間や行き先を管理するスケジュラーとして活用する方法を説明する。
【００３９】
本実施例では行き先や行き先で行う内容が告知情報１１、外出準備を始める時間が告知情報を送出する時間情報１２となる。この場合、入力する情報源は病院や介護施設で入手したものを訪問看護師やヘルパーがソフトウエア１９を用いて、本発明の生体センサー端末１の端末内部の記憶媒体１３に書き込む。告知情報１１の被験者への伝達や喚起方法は前記実施例１及び実施例２と同様である。
【００４０】
本発明の生体センサー端末１が接続されている無線ネットワーク１５の先端に病院や介護施設に接続されていた場合、本発明の生体センサー端末１から送られてくる情報で病院又は介護施設で様々なアクションを取ることが可能になる。
【００４１】
一例として、被験者が本日介護施設のディサービスに行く場合で説明する。介護施設の担当者は本発明の生体センサー端末１が音声で告知情報１１を伝える時に送信される情報で、被験者に情報の告知が行われたことを確認できる。その後に送られて来る押しボタンスイッチ１４を押したと言う生体情報で、被験者が告知情報１１を聞いたと確認できる。押しボタンスイッチ１４が押された生体情報が送られて来ない場合は、被験者生存の確認や本日来場の有無を電話で問い合わせることができる。
【産業上の利用可能性】
【００４２】
本発明の生体センサー端末１は被験者が日常生活で必要なスケジュールとその内容を音声で告知する時間管理ツールとしての機能と押しボタンスイッチ１４を押すことで遠隔地へ、生体情報を送信できる据え置き型生体センサーとしての機能を併せ持つ。
【符号の説明】
【００４３】
１    生体センサー端末
１０  実時計
１１  告知情報
１２  告知情報を送出する時間情報
１３  端末内部の記憶媒体
１４  押しボタンスイッチ
１５  無線ネットワーク
１６  ＵＳＢ回路
１７  ＧＰＳ時計
１８  中央処理装置
１９  ソフトウエア
２０  ホストコンピュータ
２１  通信用無線モジュール（送出機能部）
２２  音声合成装置（時間管理機能部）
２３  ローパスフィルタ（時間管理機能部）
２４  音量調整器（時間管理機能部）
２５  低周波アンプ（時間管理機能部）
２６  スピーカ（時間管理機能部）
２７  光信号警報器（時間管理機能部）
２８  時刻表示器
【図１】
2015009115.tif 000003
【図２】
2015009115.tif 000004